(57)【要約】【課題】  背凭れフレームを、支基に、簡単かつ迅速に取り付けることができるとともに、背凭れフレームにおける前向杆の前端部に応力が集中するのを防止しうるようにした、椅子における背凭れフレームの取付構造を提供する。【解決手段】  支基６に貫設した枢支軸の先端部７ａに、後方を向く左右１対の腕杆１３の前端部を固着し、背凭れフレーム９における背板８を支持するほぼ上下方向を向く背凭れ支持杆１０の下端より前方に向かって延出する左右１対の前向杆１１の中間部と、腕杆１３の後端部との対向面のいずれか一方にピン１４を、かつ他方に、前向杆１１を腕杆１３に上方より被嵌したとき、ピン１４が嵌合するようにした凹溝１７を設けて、この凹溝１７をピン１４に被嵌し、かつ前向杆１１の前端上部に設けた凹溝１８を、枢支軸の先端部７ａに下方より被嵌する。【選択図】        図３
2008119251.tif 000002
【特許請求の範囲】
【請求項１】
脚によって支持され、かつ座を支持する支基の両側方に、左右方向を向く枢支軸を突設し、この枢支軸に、背凭れを支持する背凭れフレームを取り付ける取付構造であって、
前記枢支軸に、後方を向く左右１対の腕杆の前端部を固着し、背凭れフレームにおける背凭れを支持するほぼ上下方向を向く背凭れ支持杆の下端より前方に向かって延出する左右１対の前向杆の前端より後方に離間した部分と、前記腕杆の後端部との対向面のいずれか一方に突部を、かつ他方に、前記前向杆を腕杆に上方より被嵌したとき、前記突部が嵌合するようにした凹溝を設けて、この凹溝を前記突部に被嵌し、かつ前記前向杆の前端上部に設けた凹溝を、前記枢支軸に下方より被嵌したことを特徴とする椅子における背凭れフレームの取付構造。
【請求項２】
突部に嵌合する凹溝を、側面視Ｌ字状の鉤形溝とし、突部をこの鉤形溝の奥端部に嵌合させたとき、背凭れフレームにおける前向杆の前端部に設けた凹溝が枢支軸に嵌合しうるようにした請求項１記載の椅子における背凭れフレームの取付構造。
【請求項３】
背凭れフレームにおける前向杆の前端部に設けた凹溝が被嵌される枢支軸の部分を、前記凹溝と補形をなす形状とした請求項１または２記載の椅子における背凭れフレームの取付構造。
【請求項４】
背凭れフレームにおける左右の前向杆を、左右の腕杆の外側に配設し、前向杆により左右の腕杆の外側面を覆った請求項１〜３のいずれかに記載の椅子における背凭れフレームの取付構造。
【請求項５】
前向杆の前端部を、枢支軸にねじ止めした請求項１〜４のいずれかに記載の椅子における背凭れフレームの取付構造。
【発明の詳細な説明】
【技術分野】
【０００１】
本発明は、椅子における背凭れフレームの取付構造に関する。
【背景技術】
【０００２】
従来のリクライニング機構を備える椅子において、背凭れを支持する背凭れフレームを、座を支持する支基に取り付ける取付構造として、支基の両側方に、左右方向を向く枢支軸を突設し、この枢支軸の端部に、背凭れフレームにおける下端部の前方を向く左右１対の前向杆の前端部を取り付けたものがある（例えば特許文献１参照）。
【特許文献１】特開２００６−１９８０６３号公報
【発明の開示】
【発明が解決しようとする課題】
【０００３】
しかし、上記のような従来の背凭れフレームの取付構造においては、背凭れフレームの前向杆の前端部に左右方向を向く軸孔を設け、この軸孔に枢支軸を嵌合し、その外側からボルトをもって、前向杆を枢支軸の端部に締着しているので、左右の前向杆の前端部同士を互いに左右方向に拡開させて、それらの前端部の軸孔を枢支軸の端部に、外側方から嵌合させるか、または背凭れフレームの前向杆の前端部を、支基の両側方に位置決めした後、枢支軸を、左右の前向杆の前端部における軸孔と、それらの間における支基とを貫通させるかしなければならず、いずれにしても、組み付け作業が煩雑である。
【０００４】
また、着座者が背凭れに凭れかかったときの荷重が、すべて前向杆の前端部に集中するので、前向杆の前端部の強度を高めなければならない。
【０００５】
本発明は、従来の技術が有する上記のような問題点に鑑み、背凭れフレームを、支基に、簡単かつ迅速に取り付けることができるとともに、背凭れフレームにおける前向杆の前端部に応力が集中するのを防止しうるようにした、椅子における背凭れフレームの取付構造を提供することを目的としている。
【課題を解決するための手段】
【０００６】
本発明によると、上記課題は次のようにして解決される。
(１)  脚によって支持され、かつ座を支持する支基の両側方に、左右方向を向く枢支軸を突設し、この枢支軸に、背凭れを支持する背凭れフレームを取り付ける取付構造において、前記枢支軸に、後方を向く左右１対の腕杆の前端部を固着し、背凭れフレームにおける背凭れを支持するほぼ上下方向を向く背凭れ支持杆の下端より前方に向かって延出する左右１対の前向杆の前端より後方に離間した部分と、前記腕杆の後端部との対向面のいずれか一方に突部を、かつ他方に、前記前向杆を腕杆に上方より被嵌したとき、前記突部が嵌合するようにした凹溝を設けて、この凹溝を前記突部に被嵌し、かつ前記前向杆の前端上部に設けた凹溝を、前記枢支軸に下方より被嵌する。
【０００７】
(２)  上記(１)項において、突部に嵌合する凹溝を、側面視Ｌ字状の鉤形溝とし、突部をこの鉤形溝の奥端部に嵌合させたとき、背凭れフレームにおける前向杆の前端部に設けた凹溝が枢支軸に嵌合しうるようにする。
【０００８】
(３)  上記(１)または(２)項において、背凭れフレームにおける前向杆の前端部に設けた凹溝が被嵌される枢支軸の部分を、前記凹溝と補形をなす形状とする。
【０００９】
(４)  上記(１)〜(３)項のいずれかにおいて、背凭れフレームにおける左右の前向杆を、左右の腕杆の外側に配設し、前向杆により左右の腕杆の外側面を覆う。
【００１０】
(５)  上記(１)〜(４)項のいずれかにおいて、前向杆の前端部を、枢支軸にねじ止めする。
【発明の効果】
【００１１】
本発明によると、次のような効果を奏することができる。
請求項１記載の発明によると、背凭れフレームにおける左右の前向杆を、若干前下がり状態とし、かつ突部と凹溝とが互いに上下方向に整合するようにして下降させることにより、対応する突部と凹溝とを係合させ、次いで、背凭れフレームを、上記突部を中心として、若干後傾させることにより、両前向杆の前端上部に設けた凹溝を、枢支軸に被嵌させるだけで、背凭れフレームを、支基に、簡単かつ迅速に取り付けることができる。
また、背凭れフレームにおける前向杆の前端部と中間部との２点を、枢支軸と、腕杆の後端部に設けた突部または凹溝とをもって支持しているので、前向杆の前端部に応力が集中するのを防止することができるとともに、背凭れの支持強度を高めることができる。
【００１２】
請求項２記載の発明によると、突部が嵌合する凹溝を鉤形溝としてあるので、背凭れフレームの取り付け後には、突部は鉤形溝の奥端部に係合しているので、凹溝から妄りに脱落することがなく、取付構造の信頼性を高めることができる。
【００１３】
請求項３記載の発明によると、背凭れフレームにおける前向杆の前端部に設けた凹溝が被嵌される枢支軸の部分を、前記凹溝と補形をなす形状としてあるので、凹溝と枢支軸との間においてがたつきが生じるのを防止することができ、取付構造の信頼性を高めることができる。
【００１４】
請求項４記載の発明によると、左右の腕杆の外側面は、背凭れフレームにおける左右の前向杆により覆われ、外部に露呈することはないので、体裁がよい。
【００１５】
請求項５記載の発明によると、前向杆の前端部を、枢支軸にねじ止めしてあるので、前向杆の前端部に設けた凹溝が、枢支軸から外れるのを、確実に阻止することができる。
【発明を実施するための最良の形態】
【００１６】
以下、本発明の一実施形態を、添付図面を参照して説明する。
図１〜図３は、本発明の一実施形態を備える椅子を示す。
図１に示すように、この椅子は、キャスター１付きの５本の脚２の中心に脚柱３を立設し、この脚柱３の上端に、座４および背凭れ５を支持する前後方向に長い支基６の後部を、垂直軸回りに回転自在に取り付けた基本構造を備えている。
【００１７】
支基６の前後方向の中間部には、左右方向を向く枢支軸７が、その両端部が支基６の両側方に突出するようにして貫設されている。この枢支軸７は、支基６内に設けた、図示を省略した付勢手段およびストッパ等により、予め定めた初期位置から、付勢手段の付勢力に抗して、背凭れ５とともに所要角度回動可能となっている。
【００１８】
背凭れ５は、背板８と、それを支持する背凭れフレーム９とからなっており、背凭れフレーム９は、背板８を支持するほぼ上下方向を向く左右１対の背凭れ支持杆１０、１０と、その下端より前下方に向かって延出する左右１対の前向杆１１、１１と、背凭れ支持杆１０、１０の上端部同士を連結する上部連結杆１２とからなっている。
【００１９】
図２に示すように、枢支軸７の両端部には、後上方を向く左右１対の腕杆１３、１３の前端部が、一体となって回動するように固着されている。
各腕杆１３の後端部外側面には、突部をなすピン１４が外向きに突設されている。また各腕杆１３の中間部上縁には、座板１５の後端部下面を連結するための連結片１６が、上向に突設されている。
【００２０】
背凭れフレーム９における各前向杆１１の前端より後方に離間した部分(この例で中間部)には、下面と内側面とに開口し、かつ上記ピン１４が嵌合しうるようにした側面視倒立Ｌ字状の鉤形溝状の凹溝１７が設けられている。
また、各前向杆１１の前端上部には、上面と内側面とに開口し、かつ枢支軸７の先端部７ａに下方より被嵌しうるようにした、上方に向かって拡開する側面視扇形の凹溝１８が設けられている。
【００２１】
前向杆１１の前端部に設けた凹溝１８が被嵌される枢支軸７の先端部７ａは、凹溝１８と補形をなすように側面視扇形としてあり、その枢支軸７の先端には、左右方向を向くねじ孔１９が設けられている。側面視扇形とした先端部７ａの前後面は、上方に向かって互いに拡開して、枢支軸７に対して背凭れフレーム９を回り止めしている。
【００２２】
また、各前向杆１１の前端部には、凹溝１８を枢支軸７の先端部７ａに被嵌したとき、ねじ孔１９と整合するようにしたねじ挿通孔２０が設けられており、このねじ挿通孔２０に挿通したねじ２１を、ねじ孔１９に螺合することにより、前向杆１１の凹溝１８が、枢支軸７の先端部７ａから外れるのを、確実に阻止しうるようにしてある。
【００２３】
前向杆１１における凹溝１７の奥端部から凹溝１８までの距離は、腕杆１３におけるピン１４から枢支軸７の先端部７ａまでの距離と等しくしてあり、それによって、背凭れフレーム９の取り付け後には、ピン１４は、鉤形溝である凹溝１７の奥端部に係合し、ピン１４が凹溝１８の開口部に向かう方向の前向杆１１と腕杆１３との相対移動は、凹溝１８が枢支軸７の先端部７ａに被嵌していることにより阻止されているので、ピン１４が凹溝１７から妄りに脱落することはない。
【００２４】
背凭れフレーム９における左右の前向杆１１、１１の内面間の距離は、左右の腕杆１３、１３の外面間の距離とほぼ等しいか、または若干大とし、左右の腕杆１３、１３の外側面は、背凭れフレーム９における左右の前向杆１１、１１により覆われるようにしてあるので、左右の腕杆１３、１３が外部に露呈することはく、体裁がよい。
【００２５】
図１に示すように、座板１５は、後部下面を、左右の腕杆１３、１３の中間部に設けられた上記連結片１６、１６の上端に連結され、かつ前部下面を、支基６の前部両側部より起立する左右１対のリンク２２、２２の上端に連結され、背凭れ５の後傾に連動して、後部が下向き傾動しつつ、後方に移動するようになっている。
このように、座板１５の後部を、直接背凭れフレーム９に連結するのではなく、腕杆１３、１３に連結したので、座４と背凭れ５とを、互いに独立して、支基６に着脱することができる。
【００２６】
背凭れフレーム９を、支基６に装着するには、まず、図３(ａ)に示すように、背凭れフレーム９における左右の前向杆１１、１１を、図１に示す正規の状態よりさらに若干前下がり状態とし、かつその中間部が左右の腕杆１３、１３の後端部と整合するようにして下降させることにより、対応するピン１４と凹溝１７とを係合させる。
【００２７】
次いで、図３(ｂ)に示すように、背凭れフレーム９全体を前下方に移動させて、ピン１４を鉤形の凹溝１７の奥端部に係合させた後、図３(ｃ)に示すように、背凭れフレーム９全体を、ピン１４を中心として、若干後傾させる、すなわち図３(ｃ)において、時計回りに回動させることにより、両前向杆１１、１１の前端上部に設けた凹溝１８を、枢支軸７の先端部７ａに被嵌させ、最後に、ねじ挿通孔２０に挿通したねじ２１を、ねじ孔１９に螺合する。
【００２８】
このような要領で、背凭れフレーム９を、支基６に簡単かつ迅速に取り付けることができる。
装着後には、背凭れフレーム９は、前向杆１１の前端部と中間部との２点が、枢支軸７と、腕杆１３の後端部に設けたピン１４とにより支持されるので、前向杆１１の前端部に応力が集中するのを防止することができるとともに、背凭れ５の支持強度を高めることができる。
【００２９】
また、前向杆１１の中間部の凹溝１７を、ピン１４に上方から被嵌し、かつ前向杆１１の前端部の凹溝１８を、枢支軸７の先端部７ａに下方から被嵌してあるので、背凭れ５が着座者の背中により押圧された際の、ピン１４を中心とする後傾方向のモーメントに対して強い構造となっている。
【００３０】
本発明は、上記の実施形態のみに制限されるものではなく、特許請求の範囲を逸脱しない範囲で、変形した態様での実施が可能である。
例えば、ピン１４等の突部を、背凭れフレーム９における前向杆１１の中間部側面に突設し、それに対向する腕杆１３の後端部側面に、上方に開口する凹溝を設け、そこに上記突部を受支するようにしてもよい。
【００３１】
また、上記の実施形態においては、前向杆１１の前端部を、枢支軸７にねじ止めすることにより、前向杆１１の前端部に設けた凹溝１８が、枢支軸７から外れるのを阻止するようにしてあるが、このねじ止めに代えて、例えば、凹溝１８に枢支軸７を嵌合した外側に、円筒形の外れ止めリング(図示略)を、前向杆の前端部に設けた筒部に外嵌し、凹溝１８からの枢支軸７の外れを阻止する等の、その他の外れ止め手段を設けてもよい。
【図面の簡単な説明】
【００３２】
【図１】本発明の一実施形態を備える椅子の側面図である。
【図２】支基と背凭れとの分解斜視図である。
【図３】(ａ)〜(ｄ)は、支基への背凭れの組み付け要領を示す説明図である。
【符号の説明】
【００３３】
１  キャスタ
２  脚
３  脚柱
４  座
５  背凭れ
６  支基
７  枢支軸
７ａ先端部
８  背板
９  背凭れフレーム
１０  背凭れ支持杆
１１  前向杆
１２  上部連結杆
１３  腕杆
１４  ピン(突部)
１５  座板
１６  連結片
１７  凹溝
１８  凹溝
１９  ねじ孔
２０  ねじ挿通孔
２１  ねじ
２２  リンク
【図１】
2008119251.tif 000003
【図２】
2008119251.tif 000004
【図３】
2008119251.tif 000005